(57)【要約】【課題】様々な包装対象物を簡単かつ美しく包装することができ、しかも安価、斬新、嵩張らない包装袋を提供することを目的とする。【解決手段】１枚のシート部材の対向する隅部を互いに内側に折り曲げて縫着又は接着等により結合させて一対の開口部１２ａ・１２ｂを形成し、シート部材の対向する残りの隅部に一対の紐取付部１３ａ・１３ｂを形成して紐１４をループ状に取り付け、包装対象物を各開口部１２ａ・１２ｂのいずれか一方より挿入してシート部材の略中央領域に載置した状態において紐取付部１３ａ・１３ｂを互いに内側に折り曲げて対向させる。【選択図】図１
0003128224.tif 000002
【実用新案登録請求の範囲】
【請求項１】
１枚のシート部材の対向する隅部を互いに内側に折り曲げて縫着又は接着等により結合させて一対の開口部を形成し、前記シート部材の対向する残りの隅部に一対の紐取付部を形成し、前記各紐取付部に紐をループ状に取り付け、任意の形状の包装対象物を前記各開口部のいずれか一方より挿入して前記シート部材の略中央領域に載置した状態において前記紐取付部を互いに内側に折り曲げて対向させることにより前記各開口部を閉鎖することを特徴とする包装袋。
【請求項２】
前記シート部材の形状は、正方形又は菱形のいずれかの形状であることを特徴とする請求項１に記載の包装袋。
【請求項３】
前記シート部材の材質は、布、不織布、合成樹脂、紙の中から選択されるいずれかの材質であることを特徴とする請求項１又は請求項２に記載の包装袋。
【考案の詳細な説明】
【技術分野】
【０００１】
本考案は、様々な包装対象物を簡単かつ美しく包装することができ、しかも安価、斬新、嵩張らない包装袋に関するものである。
【背景技術】
【０００２】
従来から風呂敷や巾着袋などの袋物について種々の工夫が施された包装袋が考えられており、例えば、以下のような提案がなされている。
【０００３】
特開平１１−１５２１４８号公報には、方形状の布体の周囲各辺に沿って紐を通すことによって、ナフキン、風呂敷、袋、前掛けとして使用できる「包装袋」が開示されている（特許文献１）。
【０００４】
実開平２−１６７５３号公報には、包装袋の開口部を巾着絞りするための紐を取り付けたものにおいて該紐の端部を付着手段により互いに結合した「包装袋」が開示されている（特許文献２）。
【０００５】
実開昭６３−５７２４７号公報には、袋の上部に少なくとも一本の可撓紐を、少なくともその一部を固着して設けた「包装袋」が開示されている（特許文献３）。
【０００６】
実開昭６１−７３５５０号公報には、上部開口縁を左右両端が開口する紐通し用のループ部とする共に、ループ部の中央を切欠き一本又は複数本の紐を該ループ部に挿通した「包装袋」が開示されている（特許文献４）。
【０００７】
実用新案登録第３０６６５２７号公報には、袋本体の開口上辺近くに、該開口上辺と略平行で一端が一方の側辺に達する不連続切込線を設け、この不連続切込線の内側端部位に円形の小孔を設けた「包装袋」が開示されている（特許文献５）。
【０００８】
【特許文献１】特開平１１−１５２１４８号公報
【特許文献２】実開平２−１６７５３号公報
【特許文献３】実開昭６３−５７２４７号公報
【特許文献４】実開昭６１−７３５５０号公報
【特許文献５】実用新案登録第３０６６５２７号公報
【考案の開示】
【考案が解決しようとする課題】
【０００９】
本考案は、従来の包装袋にはみられない独自の工夫を施すことにより、様々な包装対象物を簡単かつ美しく包装することができ、しかも安価、斬新、嵩張らない包装袋を提供することを目的とする。
【課題を解決するための手段】
【００１０】
上記課題を解決するために、請求項１に記載の考案は、１枚のシート部材の対向する隅部を互いに内側に折り曲げて縫着又は接着等により結合させて一対の開口部を形成し、前記シート部材の対向する残りの隅部に一対の紐取付部を形成し、前記各紐取付部に紐をループ状に取り付け、任意の形状の包装対象物を前記各開口部のいずれか一方より挿入して前記シート部材の略中央領域に載置した状態において前記紐取付部を互いに内側に折り曲げて対向させることにより前記各開口部を閉鎖することを特徴とする。
【００１１】
また、請求項２に記載の考案について、請求項１に記載の前記シート部材の形状は、正方形又は菱形のいずれかの形状であることを特徴とする。
【００１２】
また、請求項３に記載の考案について、請求項１又は請求項２に記載の前記シート部材の材質は、布、不織布、合成樹脂、紙の中から選択されるいずれかの材質であることを特徴とする。
【考案の効果】
【００１３】
以上のように、本考案によれば、１枚のシート部材（形状：正方形又は菱形、材質：布、不織布、合成樹脂又は紙）の対向する隅部を結合させて一対の開口部を形成し、残りの隅部に一対の紐取付部を形成し、各紐取付部に紐をループ状に取り付けた構成を採用したことにより、家庭にある一般的な材料を使用して誰でも簡単かつ安価に自分の好みに合った包装袋を製作することができる。
また、本考案によれば、任意の形状の包装対象物を各開口部のいずれか一方より挿入してシート部材の略中央領域に載置した状態において紐取付部を互いに内側に折り曲げて対向させることにより各開口部を閉鎖するようにて使用することから、包装対象物の形については四角、丸、厚みの大小にかかわらずどんな物でも簡単にかつ美しく包装することができる。
【考案を実施するための最良の形態】
【００１４】
以下、本考案の実施の一形態について、図面を参酌しながら説明する。なお、本考案にかかる包装袋は、以下の実施例に限定されるものではなく、使用状況や使用目的によって適宜変更することができる。
【００１５】
図１は、本考案にかかる包装袋の一例を示す説明図である。
【００１６】
包装袋１０は、１枚のシート部材と紐１４より構成される。シート部材は、正方形又は菱形のいずれかの形状であって、布、不織布、合成樹脂、紙の中から選択されるいずれかの材質からなる。すなわち、包装対象物（例えば、お土産物、お弁当箱、各種容器、携帯品、ノートパソコン等）を包装するのに適した形状及び材質を適宜選択することができる。なお、紐１４の本数や種類などは図示されるもの限定されない。
【００１７】
図１に示すように、シート部材の対向する隅部が互いに内側に折り曲げて縫着又は接着等されて結合部１１が設けられ、これにより一対の開口部１２ａ・１２ｂが形成される。また、シート部材の対向する残りの隅部に一対の紐取付部１３ａ・１３ｂが形成される。紐取付部１３ａ・１３ｂには、紐通路が設けられており、その紐通路に紐１４がループ状に挿通されている。
このように、家庭にある一般的な材料を使用して誰でも簡単かつ安価に自分の好みに合った包装袋を製作することができる。
【００１８】
次に、包装袋１０の使用方法について説明する。
【００１９】
図２は、図１に示す包装袋に包装対象物を開口部より挿入してシート部材の略中央領域に載置した状態を示す説明図である。図３は、図２に示す包装袋の紐取付部を互いに内側に折り曲げて対向させた状態を示す説明図である。図４は、図３に示す包装袋の紐を互いに両側に引っ張った後に結び付けた状態を示す説明図である。
【００２０】
（１）包装袋１０に包装対象物Ａを一方の開口部１２ａより挿入し、シート部材の略中央領域に載置する（図２参照）。
（２）紐取付部１３ａ・１３ｂを互いに内側に折り曲げて対向させ、各開口部１２ａ・１２ｂを閉鎖する（図３参照）。
（３）包装袋１０の紐１４を巾着絞りで両側に引っ張った後に結び付ける（図４参照）。
このように、包装袋１０を使用して包装対象物Ａを簡単にかつ美しく包装することができる。
【００２１】
また、本考案にかかる包装袋の他例について説明する。
【００２２】
図５は、本考案にかかる包装袋の他例に包装対象物を開口部より挿入してシート部材の略中央領域に載置した状態を示す説明図である。図６は、図５に示す包装袋の紐取付部を互いに内側に折り曲げて対向させた状態を示す説明図である。図７は、図６に示す包装袋の紐を互いに両側に引っ張った後に結び付けた状態を示す説明図である。
【００２３】
包装袋２０は、１枚のシート部材と紐２４より構成される。シート部材は、正方形又は菱形のいずれかの形状であって、不織布又は紙の材質からなるものを選択する。紐２４については、２本のリボンテープ（色違い）を採用する。
【００２４】
包装袋２０は、上述した包装袋１０と同様に、シート部材の対向する隅部が互いに内側に折り曲げて結合部２１（リボンテープ使用）が設けられ、これにより一対の開口部２２が形成される。また、シート部材の対向する残りの隅部に一対の紐取付部２３ａ・２３ｂが形成される。紐取付部２３ａ・２３ｂには、２本のリボンテープの挿入孔が複数設けられており、図５及び図６に示すようにループ状に挿通されている。
このように、誰でも簡単かつ安価に装飾性の高い包装袋を製作することができる。
【００２５】
包装袋２０は、上述した包装袋１０と同様に、以下のように使用する。
（１）包装袋２０に包装対象物Ｂを一方の開口部２２ａより挿入し、シート部材の略中央領域に載置する（図５参照）。
（２）紐取付部２３ａ・２３ｂを互いに内側に折り曲げて対向させ、各開口部２２を閉鎖する（図６参照）。
（３）包装袋２０の紐２４を巾着絞りで両側に引っ張った後に結び付ける（図７参照）。
このように、包装袋２０を使用して包装対象物Ｂを簡単にかつ美しく包装することができる。
【００２６】
また、本考案にかかる包装袋の他例について説明する。
【００２７】
図８は、本考案にかかる包装袋の他例を示す説明図である。図９は、図８に示す包装袋の紐取付部を互いに内側に折り曲げて対向させた後に紐を互いに両側に引っ張った状態を示す説明図である。
【００２８】
包装袋３０は、上述した包装袋１０と同様に、１枚のシート部材と紐３４より構成される。シート部材は、正方形又は菱形のいずれかの形状であって、布、不織布、合成樹脂、紙の中から選択されるいずれかの材質からなる。なお、紐１４の本数や種類などは図示されるもの限定されない。
【００２９】
図９に示すように、包装袋３０の紐取付部３３ａ・３３ｂを互いに内側に折り曲げて対向させた後、紐３４を巾着絞りで両側に引っ張った状態にすると、巾着袋として持ち歩くこともできる。
【図面の簡単な説明】
【００３０】
【図１】本考案にかかる包装袋の一例を示す説明図である。
【図２】図１に示す包装袋に包装対象物を開口部より挿入してシート部材の略中央領域に載置した状態を示す説明図である。
【図３】図２に示す包装袋の紐取付部を互いに内側に折り曲げて対向させた状態を示す説明図である。
【図４】図３に示す包装袋の紐を互いに両側に引っ張った後に結び付けた状態を示す説明図である。
【図５】本考案にかかる包装袋の他例に包装対象物を開口部より挿入してシート部材の略中央領域に載置した状態を示す説明図である。
【図６】図５に示す包装袋の紐取付部を互いに内側に折り曲げて対向させた状態を示す説明図である。
【図７】図６に示す包装袋の紐を互いに両側に引っ張った後に結び付けた状態を示す説明図である。
【図８】本考案にかかる包装袋の他例を示す説明図である。
【図９】図８に示す包装袋の紐取付部を互いに内側に折り曲げて対向させた後に紐を互いに両側に引っ張った状態を示す説明図である。
【符号の説明】
【００３１】
１０  包装袋
１１  結合部
１２  開口部
１３  紐取付部
１４  紐
２０  包装袋
２１  結合部
２２  開口部
２３  紐取付部
２４  紐
３０  包装袋
３１  結合部
３２  開口部
３３  紐取付部
３４  紐
Ａ  包装対象物
Ｂ  包装対象物
【図１】
0003128224.tif 000003
【図２】
0003128224.tif 000004
【図３】
0003128224.tif 000005
【図４】
0003128224.tif 000006
【図５】
0003128224.tif 000007
【図６】
0003128224.tif 000008
【図７】
0003128224.tif 000009
【図８】
0003128224.tif 000010
【図９】
0003128224.tif 000011